(57)【要約】【課題】ビルドアップシステムを使用して大型レンズにポータブルカメラを取付ける場合、ポータブルカメラの取付位置が適切でない場合、レンズマウント上のピンの干渉を防止し、ポータブルカメラの取付けが容易なテレビレンズを提供することを目的とする。【解決手段】ポータブルカメラとテレビレンズの締結手段がバヨネット機構からなるテレビレンズにおいて、レンズマウントから突出したピンの突出状態を選択可能とした選択手段を有することを特徴とする。【選択図】  図１４
2012113017.tif 000002
【特許請求の範囲】
【請求項１】
ポータブルカメラの支持機構とテレビレンズの支持機構を兼ね備えた支持装置に装着可能で、該ポータブルカメラとテレビレンズの締結手段がバヨネット機構からなるテレビレンズにおいて、レンズマウントから突出したピンの突出状態を選択可能とした選択手段を有することを特徴とするテレビレンズ。
【請求項２】
前記ピンは光軸方向に摺動し、レンズマウントから突出した位置から退避可能な状態となることを特徴とする請求項１に記載のテレビレンズ。
【請求項３】
前記ピンは光軸方向に摺動し、レンズマウントから突出した位置から退避することを特徴とする請求項１に記載のテレビレンズ。
【請求項４】
前記ピンは回転により、レンズマウントから突出した位置から退避することを特徴とする請求項１に記載のテレビレンズ。
【請求項５】
前記ピンの突出状態は、レンズマウントに具備した操作部材により選択することを特徴とする請求項２または３に記載のテレビレンズ。
【発明の詳細な説明】
【技術分野】
【０００１】
本発明は、特に業務用、放送局用等のポータブルカメラに、放送局用で箱型の大型レンズを取付ける際に使用するバヨネット構造に関するものである。
【背景技術】
【０００２】
例えば、ポータブルカメラと大型レンズを取付ける際には、特許文献１に記載のレンズサポートタイプやビルドアップ装置が一般的に使用される。図１６に、このビルドアップ装置を用いて、大型レンズへポータブルカメラを取付た状態を示す。
以下、同図を用いて、大型レンズとポータブルカメラの取付けについて説明する。先ず、レンズサポータ２５のエッジ２６に大型レンズ１のエッジ２１ａを係合させ、レンズサポータ２５の開口部２５ａにレンズ鏡筒１９を挿通させる。
【０００３】
次いで、操作子２７を正方向に回動操作し、係止棒２８によって大型レンズ１の係止部１ｃを係止し、大型レンズ１をビルドアップ装置に固定する。しかる後、ポータブルカメラ２４のバヨネット装置２９内にレンズ鏡筒１９を臨ませてから、レンズサポータ２５上のカメラ高さ調整機構３０に取付プレート  ３１を介してポータブルカメラ２４を固定する。最後にレンズサポータ２５に固定した大型レンズ１へポータブルカメラ２４を光軸方向へ摺動させ、バヨネット装置を用いて大型レンズ１とポータブルカメラ２４を光学的に締結する。
【０００４】
次にバヨネット装置について説明する。図１はポータブルカメラのバヨネットマウントを示す図、図２は大型レンズのバヨネットマウントを示す図、図３はポータブルカメラと大型レンズが組み合わさった場合のバヨネットマウントを示す図を示す。ポータブルカメラ本体前端部には光軸方向に開口する貫通孔３、および貫通孔３の両開口周縁のうち外側の開口周縁に突出するマウント筒４が設けられている。このマウント筒４は、大小２つの内周面４ａ、４ｂを有する筒体によって形成されている。
また、このマウント筒４の開口端部外周面には、位置決め用の切欠き５ａをその内周縁に有するフランジ５が突設されている。６はバヨネットリングで、前記フランジ５の外周面に回転かつ進退自在に螺着されている。このバヨネットリング６にはレンズフランジを前記フランジ５のカメラ基準面（バヨネットマウント基準面）５ｂに圧接可能な内フランジ７が一体に設けられており、この内フランジ７には周方向に並列する３つの切欠き８が形成されている。
【０００５】
９は内周面（レンズ鏡筒嵌合部）４ａに嵌合する外周面（カメラ本体嵌合部）９ａを有するレンズ鏡筒である。このレンズ鏡筒９の外周面には３つのレンズフランジ１０が設けられており、これらレンズフランジ１０のレンズ基準面（バヨネットマウント基準面）１０ａには前記切欠５ａ内に挿抜可能なピン１１が突設されている。
【０００６】
このように構成されたバヨネット装置において、ポータブルカメラ本体に対してレンズ鏡筒９を装着するには、切欠き５ａにピン１１を臨ませ、同時にレンズフランジ１０に切欠き８を臨ませ、操作リング６を回動操作する。これにより操作リング６が螺進し、内フランジ７がレンズフランジ１０をフランジ５に押圧することでポータブルカメラと大型レンズが締結される。このとき、レンズ基準面１０ａとカメラ基準面５ｂが合わさることにより光路長が設定され、またカメラ本体嵌合部９ａとレンズ鏡筒嵌合部４ａが嵌め合うことにより光軸合わせが行われる。
【先行技術文献】
【特許文献】
【０００７】
【特許文献１】特開２００５−１４８３３０号公報
【発明の概要】
【発明が解決しようとする課題】
【０００８】
しかしながら、ビルドアップ装置により調整しきれない回転方向への取付け位置のズレが大型レンズとポータブルカメラの間に生じる可能性があり、その結果、レンズマウント上のピンがカメラの部材と干渉し、ポータブルカメラの取付けが困難になることがある。しかし、ピンは大型レンズとポータブルカメラの回転規制の役割もあるため、上述のビルドアップ装置を使用しない場合は、ピンが突出状態で固定されなければならない。
【０００９】
そこで、本発明は上記事情に省みたものであり、ビルドアップ装置を使用して大型レンズとポータブルカメラを取付ける際に生じる可能性がある、レンズマウント上のピンの干渉を防止し、ポータブルカメラの取付けが容易なテレビレンズを提供することを目的とする。
【課題を解決するための手段】
【００１０】
上記目的を達成するために、本発明は、ポータブルカメラの支持機構とテレビレンズの支持機構を兼ね備えた支持装置に装着可能で、該ポータブルカメラとテレビレンズの締結手段がバヨネット機構からなるテレビレンズにおいて、レンズマウントから突出したピンの突出状態を選択可能とした選択手段を有することを特徴とする。
【発明の効果】
【００１１】
本発明によれば、ピンを退避もしくは退避可能な状態にすることで、上記ビルドアップ装置を使用して固定した大型レンズにポータブルカメラを装着する際のポータブルカメラの位置調整が容易になる。とりもなおさず、装着時間の短縮を図れる。また、バヨネット装置の誤装着が防止され、光学性能の劣化を防ぐことができる。
【図面の簡単な説明】
【００１２】
【図１】カメラのバヨネットマウントを示す図である。（ａ）は（ｂ）のＡ視図、（ｂ）は断面図、（ｃ）はピン近傍の拡大図を表す。
【図２】レンズのバヨネットマウントを示す図である。（ａ）は（ｂ）のＢ視図、（ｂ）は側面図、（ｃ）はピン近傍の拡大図を表す。
【図３】カメラとレンズが組み合わさった場合のバヨネットマウントを示す図である。（ａ）は（ｂ）のＣ視図、（ｂ）は断面図、（ｃ）はピン近傍の拡大図を表す。
【図４】実施形態１のレンズマウント正面図である。
【図５】図４に示す、実施形態１のレンズマウントＡ  −  Ａ断面図である。（ａ）はピンが突出位置で保持されている場合を示し、（ｂ）はピンが退避した状態を示す。
【図６】実施形態２のレンズマウント正面図である。
【図７】実施形態２のレンズマウントＡ  −  Ａ断面図である。
【図８】実施形態２のレンズマウントＢ  −  Ｂ断面図である。（ａ）はピンが突出位置で保持されている場合を示し、（ｂ）はピンが退避した状態を示す。
【図９】実施形態３のレンズマウントの正面図である。
【図１０】実施形態３のレンズマウントのＡ  −  Ａ断面図である。（ａ）はピンが突出位置で保持されている場合を示し、（ｂ）はピンが退避した状態を示す。
【図１１】実施形態３のレンズマウントＢ−  Ｂ断面図である。（ａ）はピンが突出位置で保持されている場合を示し、（ｂ）はピンが退避した状態を示す。
【図１２】実施形態４のレンズマウントの正面図である。
【図１３】実施形態４のレンズマウントの左側面図である。
【図１４】実施形態４のレンズマウントのＡ  −  Ａ断面図である。（ａ）はピンが突出した状態を示し、（ｂ）はピンが突出し、退避可能な状態を示し、（ｃ）はピンが光軸方向に押されて、退避した状態を示す。
【図１５】実施形態４のレンズマウントのＢ  −  Ｂ断面図である。（ａ）はピンが突出した状態を示し、（ｂ）はピンが突出し、退避可能な状態を示し、（ｃ）はピンが光軸方向に押されて、退避した状態を示す。
【図１６】ビルドアップ装置を使用した、テレビレンズとポータブルカメラの取付状態を表す図である。
【発明を実施するための形態】
【００１３】
以下に、本発明の好ましい実施の形態を、添付の図面に基づいて詳細に説明する。図４から図１５は、本発明の実施形態にかかわるバヨネット構造である。
【００１４】
《第１の実施形態》
以下、図４と図５を参照して、請求項１と４に相当する本発明の第１の実施形態による、バヨネット構造について説明する。図４はレンズ側のレンズマウント６０をカメラ取付面側から見た正面図、図５はレンズマウント６０におけるＡ  −  Ａ断面図である。レンズマウント６０は、ピン６１の中心軸に対し垂直方向にピン６１の内部を通過する軸６２を有す。
さらに、ピン６１にはピン６１が突出状態の場合に光軸方向へ押された場合に、負荷が軸６２にかからないようにするための溝６１ａを有する。
【００１５】
ピン６１は操作手段としての操作部６１ｂと、退避位置でピン６１を保持するために使用する切欠き６１ｃ、突出位置でピン６１を保持するために使用する切欠き６１ｄを有す。
さらに、レンズマウント６０の内部には、ピン６１を光軸方向に付勢するバネ６３と、ピン６１とバネ６３に挟まれた位置にピンの保持手段として上面６４ａが凸形状を有する突出部材６４を有す。レンズマウント６０は、ピン６１が回転したときに、ピン６１が通過することができる退避部としての溝６０ａを有する。
【００１６】
以上の構成において、ピン６１を退避位置に退避させるためには、ピン６１を溝６０ａに向けて回転させる。この操作を行うことで、図５（ｂ）に示すように、ピン６１は軸６２を中心に回転し、溝６０ａに退避する。ピン６１が退避した時に、ピン６１の側面にある切欠き６１ｃに向かって、バネ６３の付勢力により突出部材６４の凸部６４ａが押し付けられて、ピン６１が退避部に保持される。
【００１７】
次に、レンズマウント６０の基準面６０ｂに対して突出した位置に保持するためには、ピン６１を軸６２を中心に回転させることで、図５（ａ）の状態になる。この状態のとき、バネ６３により光軸方向に付勢された突出部材６４の凸部６４ａがピン６１の底部に有した切欠き６１ｄに向けて押し付けられ、ピン６１が保持される。なお、ピン６１の回動は操作部６１ｂを用いて操作しても良い。以上、本実施形態によれば、レンズマウント６０に設けられたピン６１の突出状態を選択することが出来る。
【００１８】
《第２の実施形態》
以下、図６から図８を参照して、請求項１と４に相当する本発明第２の実施形態による、バヨネット構造について説明する。図６はレンズマウント７０をカメラ取付面側から見た正面図、図７はレンズマウント７０上のＡ  −  Ａ断面図、図８は図６のＢ  −  Ｂ断面図を示す。
レンズマウント７０には、光軸方向に対し垂直方向でレンズマウント７０の中心軸に向けてピン７１を通過するように軸７２を有し、ピン７１が回転したときに、ピン７１が倒れることが可能になる退避部としての溝７０ａを有する。
【００１９】
また、ピン７１には軸７２が通過可能な穴７１ａを有し、ピン７１がレンズマウント７０の基準面７０ｂに対して突出した位置へピン７１を保持するために、保持手段としての磁性体７３がピン７１の底面７１ｂとレンズマウント７０の間にある。さらに、ピン７１が退避した場合で保持するために、保持手段としての磁性体７４がピン７１の側面７１ｃと接する位置で溝７０ａにある。
【００２０】
以上の構成において、ピン７１を退避位置に退避させるためには、ピン７１を光軸方向にカメラ方向へ向けて引っ張り出し、軸７２を中心にして回転させる。この操作により、図８（ｂ）に示すように、ピン７１は退避部としての溝７０ａに退避することが可能となる。
【００２１】
次に、基準面７０ｂに対して突出した状態にするには、基準面７０ｂ上の窪み７０ｃを利用して、ピン７１を軸７２を中心に回転させることで図８（ａ）の状態となる。この時、ピン７１は磁性体７４の磁力により保持される。ここで、窪み７０ｃの形状は特に限定されないものとする。
【００２２】
以上、本実施形態によれば、レンズマウント７０に設けられたピン７１の突出状態を選択することが出来る。また、本実施形態は以上のレンズマウント７０、ピン７１、軸７２、磁性体７３、磁性体７４で成立するが、さらに、ピン７１の側面には引っ張り出しやすくするための凹部７１ｄを有しても良い。この凹部形状は、半月円形状で示しているが、特に限定はされない。
【００２３】
《第３の実施形態》
以下、図９から図１１を参照して、請求項１と３と５に相当する、本発明第３の実施形態による、バヨネット構造について説明する。図９はレンズ側のレンズマウント５０をレンズ取付面側から見た正面図、図１０は図９のＡ  -  Ａ断面図、図１１はレンズマウント５０上のピン５１を通る円弧Ｂ  -  Ｂの断面図を示す。レンズマウント５０の基準面５０ａには、ピン５１が光軸方向に摺動可能な穴５０ｂを有す。
【００２４】
また、レンズマウント５０の側面５０ｃに、ピン５１の保持手段と操作手段を兼ねる操作リング５２が設けられている。さらに、操作リング５２には面カム５２ｂが設けられている。５３はピン５１と一体にしてなる台座であり、穴５０ｂに進退自在に嵌合している。
ここで、ピン５１と台座５３の固定方法はねじ止めや接着など、特に限定されない。また、台座５３はピン５１と一体に形成しても良い。５４は台座５３とピン５１を操作リング５２の方向へ付勢するバネである。
【００２５】
５５は操作リングつまみ５２ａが挿通可能な溝５５ａを有し、操作リング５２をレンズマウント５０に装着するカバーである。カバー５５は、レンズマウント５０の側面５０ｃ上にボルト５６により固定されている。この実施形態ではカバー固定手段として、ボルトを用いているが、カバーの固定手段は、接着剤などでも良く、特に限定されない。
【００２６】
以上の構成において、ピン５１を退避位置に退避させるためには、操作リング５２をレンズマウント５０の円周方向に操作リングつまみ５２ａを操作して回動させる。この操作により、図１０（ｂ）及び図１１（ｂ）に示すように、台座５３がバネ５４により付勢されながら操作リング５２の面カム５２ｂに従って移動し、ピン５１は穴５０ｂに退避する。
【００２７】
次に、ピン５１を突出位置に保持するためには、操作リング５２をレンズマウント５０の円周方向に回動させる。この操作により、図１０（ａ）及び図１１（ａ）に示すように、台座５３は操作リング５２に押されて、ピン５１はレンズマウント５０から突出した状態で保持される。
【００２８】
以上、本実施形態によれば、レンズマウント５０に設けられたピン５１の突出状態を選択することが出来る。なお、操作リング５２に、ピン５１の突出位置が判別できるように、カバー５５の溝５５ａからピン５１の位置を表示させても良い。この表示内容は、日本語や英語などの言語表示や、模式的に図で表示させることや、色彩によって表示させることなど、その表示内容は特に限定されない。
【００２９】
さらに、操作リング５２はピン５１が突出位置と退避位置となった場合に固定できるように、クリックなどの固定手段を持つことが好ましい。この固定手段は、クリック以外にも磁性体から発生される磁力でもよく、この固定手段は特に限定されない。
【００３０】
さらに、台座５３の上面５３ｂにテーパ形状５３ｃを設け、レンズマウント５０に押し付けられた際に生じる恐れのあるガタを取り除くことが好ましい。ただし、台座５３の上面５３ｂは、ピン５１が突出位置の時にレンズマウント５０に接触して、固定されれば特に形状は限定されない。また、台座５３の材料に高弾性材料である樹脂を使用することでピン５１をレンズマウント５０へ強固に押し付け、ピン５１の保持をより強固にしても良い。
【００３１】
《第４の実施形態》
以下、図１２から図１５を参照して、請求項１と２と５に相当する、本発明第４の実施形態による、バヨネット構造について説明する。図１２はレンズ側のレンズマウント４０をレンズ取付面側から見た正面図、図１３はレンズマウント４０の左側面図、図１４は図１２のＡ  -  Ａ断面図、図１５はレンズマウント４０上のピン４１の中心を通る円弧Ｂ-  Ｂの断面図を示す。レンズマウント４０の基準面４０ａには、ピン４１が光軸方向に摺動可能な穴４０ｂを有す。
【００３２】
また、レンズマウント４０の側面４０ｃに、ピン４１の保持手段と操作手段を兼ねる操作リング４２が設けられている。さらに、操作リング４２には、面カム４２ｂが設けられている。４３は台座であり、穴４０ｂに進退自在に嵌合している。４４は台座４３を操作リング４２の方向へ付勢し、ピン４１を基準面４０ａの方向へ付勢するバネである。４５は操作リングつまみ４２ａが挿通可能な溝４５ａを有し、操作リング４２をレンズマウント４０に装着するカバーである。
【００３３】
操作リング４２の操作範囲を決定するために、レンズマウント４０の側面は操作リングが移動する範囲のみに切欠きを有し、ピン４１の突出状態を選択終了時には操作リング４２の端がレンズマウント４０に接触する。
【００３４】
カバー４５は、レンズマウント４０の側面４０ｃ上にボルト４６で固定されている。この実施形態ではカバー固定手段として、ボルトを用いているが、カバーの固定手段は、接着剤などでも良く、特に限定されない。
【００３５】
以上の構成において、ピン４１を退避位置に退避させるためには、操作リング４２をレンズマウント４０の円周方向に操作リングつまみ４２ａを操作して回動させる。この操作により、図１４（ｂ）及び図１５（ｂ）に示すように、台座４３がバネ４４により付勢されながら操作リング４２の面カム４２ｂに従って移動する。台座４３が図１４（ｂ）及び図１５（ｂ）に示す状態にあるとき、光軸方向へカメラ側からレンズ側に向けてピン４１を押した場合、図１４（ｃ）及び図１５（ｃ）に示すように、ピン４１は台座上面４３ｂと接する位置まで光軸方向に摺動しながら退避する。
【００３６】
次に、ピン４１を突出位置に保持するためには、操作リング４２をレンズマウント４０の円周方向に回動させる。この操作により、図１４（ａ）及び図１５（ａ）に示すように、台座４３は操作リング４２に押されてピン４１はレンズマウント４０から突出した状態で保持される。
【００３７】
以上、本実施形態によれば、レンズマウント４０に設けられたピン４１の突出状態を選択することが出来る。なお、本実施形態では光軸方向へ摺動する部材として、ピン４１と台座４３の二点としているが、光軸方向へ摺動する部材がピンと別に一点以上あれば良い。よって、摺動部材としては台座４３に限定されないものとする。
【００３８】
また、操作リング４２と台座４３とピン４１の形状や材料を変更し、突出状態でのガタの発生を防ぐことやピン突出状況の表示などの機能を付与することが好ましい。
【００３９】
さらに、ピン４１の底部４１ａにテーパ形状４１ｂを設け、レンズマウント４０に押し付けられた際に生じる恐れのあるガタを取り除くことが好ましい。ここで、ピン４１の底部４１ａに設けるテーパ形状４１ｂはピン４１が突出位置の時にレンズマウント４０に接触して、保持されれば特に形状は限定されない。
【００４０】
以上、本発明の好ましい実施形態について説明したが、本発明はこれらの実施形態に限定されず、その要旨の範囲内で種々の変形及び変更が可能である。
【符号の説明】
【００４１】
４０：レンズマウント
４０ａ：レンズマウントの基準面
４０ｂ：ピンの退避部
４０ｃ：レンズマウントの側面
４１：ピン
４１ａ：ピン底部
４１ｂ：ピン底部のテーパ形状
４２：操作リング
４２ａ：操作リングつまみ
４２ｂ：面カム
４３：台座
４３ａ：台座の内部
４３ｂ：台座の上面
４４：バネ
４５：カバー
４５ａカバーの窓
４６：ボルト
【図１】
2012113017.tif 000003
【図２】
2012113017.tif 000004
【図３】
2012113017.tif 000005
【図４】
2012113017.tif 000006
【図５】
2012113017.tif 000007
【図６】
2012113017.tif 000008
【図７】
2012113017.tif 000009
【図８】
2012113017.tif 000010
【図９】
2012113017.tif 000011
【図１０】
2012113017.tif 000012
【図１１】
2012113017.tif 000013
【図１２】
2012113017.tif 000014
【図１３】
2012113017.tif 000015
【図１４】
2012113017.tif 000016
【図１５】
2012113017.tif 000017
【図１６】
2012113017.tif 000018